【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
無線通信システムにおいて、伝送装置がＬＤＰＣ（low density parity Check）符号を用いて情報ブロックを伝送する方法において、
前記伝送装置が、ＬＤＰＣ符号行列
【数１】
2019532585.tif 000001
に基づいて、前記情報ブロックをエンコーディングすることと、
前記伝送装置が、前記エンコーディングされた情報ブロックを伝送することと、を含み、
前記ＬＤＰＣ符号行列の各要素は、Ｚ＊Ｚゼロ行列、又は、Ｚ＊Ｚ単位行列を右側に負ではない整数回循環的にシフトして得られたＺ＊Ｚ循環パーミュテーション行列を示し、
“［Ａ  Ｂ］”は、Ｍｂ＊（Ｋｂ＋Ｍｂ）行列であり、
“Ｂ”は、“Ｂ”の第１対角線のＭｂ個の要素、“Ｂ”の前記第１対角線の直上の第２対角線の（Ｍｂ−１）個の要素、及び、“Ｂ”の１番目の列内の“Ｂ”の前記第１対角線の下の２つの要素を除いた“Ｂ”の全ての要素が前記Ｚ＊Ｚゼロ行列を示す、Ｍｂ＊Ｍｂの二重対角行列であり、
“Ｃ”は、“Ｃ”の全ての要素が前記Ｚ＊Ｚゼロ行列を示す、Ｍｂ＊Ｍｃ行列であり、
“Ｅ”は、“Ｅ”の対角線のＭＣ個の要素を除いた“Ｅ”の全ての要素が前記Ｚ＊Ｚゼロ行列を示す、Ｍｃ＊Ｍｃの単一対角行列であり、
“Ｄ”は、（ＭＣ−Ｙ）個の上位行及びＹ個の下位行で構成されたＭｃ＊（Ｋｂ＋Ｍｂ）行列であり、
前記Ｙ個の下位行は、前記Ｙ個の下位行の全ての２つの連続行が前記Ｚ＊Ｚゼロ行列を示さない要素を各列に最大１つ有する、行直交構造であり、
前記（ＭＣ−Ｙ）個の上位行は、前記（ＭＣ−Ｙ）個の上位行の各行ｉ（ここで、ｉ＝１，…，ＭＣ−Ｙ）について前記行ｉ及び前記行ｉの直上の行、又は前記行ｉ及び前記行ｉの直下の行が少なくとも１つの列で前記Ｚ＊Ｚゼロ行列を示さない要素を１つより多く有する、非行直交構造であり、
（ＭＣ−Ｙ）は、正の整数である、方法。
【請求項２】
“［Ａ  Ｂ］”は、行直交構造ではない、請求項１に記載の方法。
【請求項３】
無線通信システムにおいて、ＬＤＰＣ（low density parity Check）符号を用いて情報ブロックを伝送する伝送装置において、
ＬＤＰＣ符号行列
【数２】
2019532585.tif 000002
に基づいて、前記情報ブロックをエンコーディングするように構成されたエンコーダと、
前記エンコーディングされた情報ブロックを伝送するように構成された伝送モジュールと、を含み、
前記ＬＤＰＣ符号行列の各要素は、Ｚ＊Ｚゼロ行列、又はＺ＊Ｚ単位行列を右側に負ではない整数回循環的にシフトして得られたＺ＊Ｚ循環パーミュテーション行列を示し、
“［Ａ  Ｂ］”は、Ｍｂ＊（Ｋｂ＋Ｍｂ）行列であり、
“Ｂ”は、“Ｂ”の第１対角線のＭｂ個の要素、“Ｂ”の前記第１対角線の直上の第２対角線の（Ｍｂ−１）個の要素、及び“Ｂ”の１番目の列内の“Ｂ”の前記第１対角線の下の２つの要素を除いた“Ｂ”の全ての要素が前記Ｚ＊Ｚゼロ行列を示す、Ｍｂ＊Ｍｂの二重対角行列であり、
“Ｃ”は、“Ｃ”の全ての要素が前記Ｚ＊Ｚゼロ行列を示す、Ｍｂ＊Ｍｃ行列であり、
“Ｅ”は、“Ｅ”の対角線のＭＣ個の要素を除いた“Ｅ”の全ての要素が前記Ｚ＊Ｚゼロ行列を示す、Ｍｃ＊Ｍｃの単一対角行列であり、
“Ｄ”は、（ＭＣ−Ｙ）個の上位行及びＹ個の下位行で構成されたＭｃ＊（Ｋｂ＋Ｍｂ）行列であり、
前記Ｙ個の下位行は、前記Ｙ個の下位行の全ての２つの連続行が前記Ｚ＊Ｚゼロ行列を示さない要素を各列に最大１つ有する、行直交構造であり、
前記（ＭＣ−Ｙ）個の上位行は、前記（ＭＣ−Ｙ）個の上位行の各行ｉ（ここで、ｉ＝１，…，ＭＣ−Ｙ）について前記行ｉ及び前記行ｉの直上の行、又は、前記行ｉ及び前記行ｉの直下の行が少なくとも１つの列で前記Ｚ＊Ｚゼロ行列を示さない要素を１つより多く有する、非行直交構造であり、
（ＭＣ−Ｙ）は、正の整数である、伝送装置。
【請求項４】
“［Ａ  Ｂ］”は、行直交構造ではない、請求項３に記載の伝送装置。
【請求項５】
無線通信システムにおいて、受信装置がＬＤＰＣ（low density parity Check）符号を用いて情報ブロックを受信する方法において、
前記受信装置が、エンコーディングされた情報ブロックを受信することと、
前記受信装置が、前記エンコーディングされた情報ブロックをＬＤＰＣ符号行列
【数３】
2019532585.tif 000003
に基づいてデコーディングして前記情報ブロックを生成することと、を含み、
前記ＬＤＰＣ符号行列の各要素は、Ｚ＊Ｚゼロ行列、又はＺ＊Ｚ単位行列を右側に負ではない整数回循環的にシフトして得られたＺ＊Ｚ循環パーミュテーション行列を示し、
“［Ａ  Ｂ］”は、Ｍｂ＊（Ｋｂ＋Ｍｂ）行列であり、
“Ｂ”は、“Ｂ”の第１対角線のＭｂ個の要素、“Ｂ”の前記第１対角線の直上の第２対角線の（Ｍｂ−１）個の要素、及び“Ｂ”の１番目の列内の“Ｂ”の前記第１対角線の下の２つの要素を除いた“Ｂ”の全ての要素が前記Ｚ＊Ｚゼロ行列を示す、Ｍｂ＊Ｍｂの二重対角行列であり、
“Ｃ”は、“Ｃ”の全ての要素が前記Ｚ＊Ｚゼロ行列を示す、Ｍｂ＊Ｍｃ行列であり、
“Ｅ”は、“Ｅ”の対角線のＭＣ個の要素を除いた“Ｅ”の全ての要素が前記Ｚ＊Ｚゼロ行列を示す、Ｍｃ＊Ｍｃの単一対角行列であり、
“Ｄ”は、（ＭＣ−Ｙ）個の上位行及びＹ個の下位行で構成されたＭｃ＊（Ｋｂ＋Ｍｂ）行列であり、
前記Ｙ個の下位行は、前記Ｙ個の下位行の全ての２つの連続行が前記Ｚ＊Ｚゼロ行列を示さない要素を各列に最大１つ有する、行直交構造であり、
前記（ＭＣ−Ｙ）個の上位行は、前記（ＭＣ−Ｙ）個の上位行の各行ｉ（ここで、ｉ＝１，…，ＭＣ−Ｙ）について前記行ｉ及び前記行ｉの直上の行、又は前記行ｉ及び前記行ｉの直下の行が少なくとも１つの列で前記Ｚ＊Ｚゼロ行列を示さない要素を１つより多く有する、非行直交構造であり、
（ＭＣ−Ｙ）は、正の整数である、方法。
【請求項６】
“［Ａ  Ｂ］”は、行直交構造ではない、請求項５に記載の方法。
【請求項７】
無線通信システムにおいて、ＬＤＰＣ（low density parity Check）符号を用いて情報ブロックを受信する受信装置において、
エンコーディングされた情報ブロックを受信するように構成された受信モジュールと、
前記エンコーディングされた情報ブロックをＬＤＰＣ符号行列
【数４】
2019532585.tif 000004
に基づいてデコーディングして前記情報ブロックを生成するように構成されたデコーダと、を含み、
前記ＬＤＰＣ符号行列の各要素は、Ｚ＊Ｚゼロ行列、又はＺ＊Ｚ単位行列を右側に負ではない整数回循環的にシフトして得られたＺ＊Ｚ循環パーミュテーション行列を示し、
“［Ａ  Ｂ］”は、Ｍｂ＊（Ｋｂ＋Ｍｂ）行列であり、
“Ｂ”は、“Ｂ”の第１対角線のＭｂ個の要素、“Ｂ”の前記第１対角線の直上の第２対角線の（Ｍｂ−１）個の要素、及び“Ｂ”の１番目の列内の“Ｂ”の前記第１対角線の下の２つの要素を除いた“Ｂ”の全ての要素が前記Ｚ＊Ｚゼロ行列を示す、Ｍｂ＊Ｍｂの二重対角行列であり、
“Ｃ”は、“Ｃ”の全ての要素が前記Ｚ＊Ｚゼロ行列を示す、Ｍｂ＊Ｍｃ行列であり、
“Ｅ”は、“Ｅ”の対角線のＭＣ個の要素を除いた“Ｅ”の全ての要素が前記Ｚ＊Ｚゼロ行列を示す、Ｍｃ＊Ｍｃの単一対角行列であり、
“Ｄ”は、（ＭＣ−Ｙ）個の上位行及びＹ個の下位行で構成されたＭｃ＊（Ｋｂ＋Ｍｂ）行列であり、
前記Ｙ個の下位行は、前記Ｙ個の下位行の全ての２つの連続行が前記Ｚ＊Ｚゼロ行列を示さない要素を各列に最大１つ有する、行直交構造であり、
前記（ＭＣ−Ｙ）個の上位行は、前記（ＭＣ−Ｙ）個の上位行の各行ｉ（ここで、ｉ＝１，…，ＭＣ−Ｙ）について前記行ｉ及び前記行ｉの直上の行、又は前記行ｉ及び前記行ｉの直下の行が少なくとも１つの列で前記Ｚ＊Ｚゼロ行列を示さない要素を１つより多く有する、非行直交構造であり、
（ＭＣ−Ｙ）は、正の整数である、受信装置。
【請求項８】
“［Ａ  Ｂ］”は、行直交構造ではない、請求項７に記載の受信装置。